(57)【特許請求の範囲】
【請求項１】
搬送路を搬送中の原稿が第１読取位置を通過する際に当該原稿の第１面の画像を読み取った後、前記原稿が第２読取位置を通過する際に当該原稿の前記第１面とは反対側の第２面の画像を読み取る両面画像読取装置であって、
前記搬送路のうち前記第１読取位置と前記第２読取位置との間に設けられ、湾曲形状をした第１湾曲経路の原稿搬送方向下流端と当該第１湾曲経路とは反対側に膨らむ第２湾曲経路の原稿搬送方向上流端とが接続されてなるＳ字状の経路と、
前記第１湾曲経路を搬送中の原稿を押える押えガイドと、
前記搬送中の原稿を挟んで前記押えガイドと対向配置される搬送ガイドと、
を備え、
前記第１湾曲経路の少なくとも一部が前記搬送ガイドと前記押えガイドとにより形成され、
前記押えガイドは、前記搬送ガイドとの間を通過する原稿を前記搬送ガイドに押え、
前記搬送ガイドが前記第１湾曲経路の湾曲外側のガイドであり、前記押えガイドが前記第１湾曲経路の湾曲内側のガイドであることを特徴とする両面画像読取装置。
【請求項２】
前記押えガイドと前記搬送ガイドとの間隔が原稿搬送方向上流から下流に向かうに伴って狭くなっている部分を有し、
前記押えガイドは、
前記搬送ガイドとの間隔が最も狭くなる、原稿搬送方向下流側の部分で前記原稿を前記搬送ガイドに押えることを特徴とする請求項１に記載の両面画像読取装置。
【請求項３】
前記押えガイドは、
自重および付勢部材の付勢力の少なくとも一方を、前記搬送ガイドに前記原稿を押える押圧力に用いることを特徴とする請求項１または２に記載の両面画像読取装置。
【請求項４】
前記第１読取位置よりも原稿搬送方向下流側かつ前記搬送ガイドよりも原稿搬送方向上流側に配置される、掬い上げガイドを備え、
前記掬い上げガイドは、
前記第１読取位置を通過した前記原稿を掬い上げて前記搬送ガイドに向かわせることを特徴とする請求項１〜３のいずれか１項に記載の両面画像読取装置。
【請求項５】
前記第１湾曲経路は、
前記第１読取位置を通過した原稿が前記掬い上げガイドにより掬い上げられるまでの第１経路部分と、前記掬い上げガイドによる前記原稿の掬い上げから前記第１湾曲経路の原稿搬送方向下流端までの第２経路部分とを含み、
前記第２経路部分の方が前記第１経路部分よりも曲率が大きいことを特徴とする請求項４に記載の両面画像読取装置。
【請求項６】
前記Ｓ字状の経路の途中に配され、当該Ｓ字状の経路を搬送中の原稿を、さらに原稿搬送方向下流へ搬送する搬送回転部材を備え、
前記押えガイドは、
前記搬送回転部材よりも原稿搬送方向上流側に配置されていることを特徴とする請求項１〜５のいずれか１項に記載の両面画像読取装置。
【請求項７】
前記第１湾曲経路は、
第１経路部分と、当該第１経路部分よりも原稿搬送方向下流側かつ当該第１経路部分と曲率が異なる第２経路部分とを含み、
前記押えガイドによる前記原稿の押えは、
前記曲率の大きい方の経路部分を搬送中の原稿に対して行われることを特徴とする請求項１〜６のいずれか１項に記載の両面画像読取装置。
【請求項８】
前記搬送路における前記第１読取位置よりも原稿搬送方向上流側に配置され、前記第１読取位置に向かって搬送される原稿のスキューを解消するためのレジストローラー対を備えることを特徴とする請求項１〜７のいずれか１項に記載の両面画像読取装置。
【請求項９】
両面画像読取部により読み取られた原稿の画像データに基づいてシート上に画像を形成する画像形成装置であって、
前記両面画像読取部として、請求項１〜８のいずれか１項に記載の両面画像読取装置を備えることを特徴とする画像形成装置。
【発明の詳細な説明】
【技術分野】
【０００１】
本発明は、原稿搬送中に当該原稿の両面の画像を読み取る両面画像読取装置および画像形成装置に関する。
【背景技術】
【０００２】
スキャナーなどの画像読取装置として、搬送中の原稿の両面の画像を読み取る両面画像読取装置が開発されている。
この両面画像読取装置は、一般に、原稿の搬送路を介して一方の側に第１読取部を配置し、他方の側に第２読取部を配置して、搬送中の原稿が第１読取部の第１読取位置を通過する際に、当該原稿の第１面（おもて面）の画像を第１読取部で読み取り、第１読取位置を通過後の原稿が第２読取部の第２読取位置を通過する際に当該原稿の第２面（うら面）の画像を第２読取部で読み取る構成になっている。
【先行技術文献】
【特許文献】
【０００３】
【特許文献１】特開２００４−７２２９号公報
【発明の概要】
【発明が解決しようとする課題】
【０００４】
上記のような両面画像読取装置として、原稿の搬送路のうち第１読取位置から第２読取位置までの間の部分が側面視で（原稿Ｄの搬送方向に直交する原稿幅方向から見たとき）、Ｓ字状の経路（以下、「Ｓ字経路」という。）になっているものが提案されている。
図９は、Ｓ字経路を有する両面画像読取装置の概略構成を示す図である。
同図に示すように両面画像読取装置は、原稿トレイ９３０上の原稿Ｄをピックアップローラー９０１で搬送路９４０に繰り出し、繰り出された原稿Ｄを搬送路９４０に沿って分離ローラー９０２、レジストローラー９０３、搬送ローラー９０４により第１読取位置９２１に向けて搬送する。そして、搬送中の原稿Ｄが第１読取位置９２１を通過する際に原稿Ｄの第１面の画像を第１読取部９１１により読み取る。
【０００５】
第１読取位置９２１を通過後の原稿Ｄを搬送ローラー９０５により、第１読取位置９２１よりも上方の第２読取位置９２２に向けて搬送する。この第１読取位置９２１から第２読取位置９２２までの部分がＳ字経路９５０に相当する。
Ｓ字経路９５０は、原稿搬送方向上流から下流に向かうに連れて斜め上方に湾曲した第１湾曲経路９５１の原稿搬送方向下流端と、第１湾曲経路９５１とは反対側に膨らむ第２湾曲経路９５２の原稿搬送方向上流端とが接続されてなる構成が多い。
【０００６】
Ｓ字経路９５０を搬送された原稿Ｄが第２読取位置９２２を通過する際に原稿Ｄの第２面の画像を第２読取部９１２により読み取る。そして、第２読取位置９２２を通過後の原稿Ｄを搬送ローラー９０６により搬送し、排出ローラー９０７により排出トレイ９３１に排出させる。
ところが、このようなＳ字経路９５０を有する構成では、Ｓ字経路９５０を搬送中に原稿Ｄのスキュー（斜行）が発生し易いという問題がある。
【０００７】
具体的には、搬送中の原稿Ｄの搬送方向先端（以下、単に「先端」という。）Ｄｆは、第１読取位置９２１上を略水平方向に通過した直後に、第１湾曲経路９５１を形成するガイド９６１に至るが、ガイド９６１が斜め上方に立ち上がった形状をしているので、ガイド９６１に当たると搬送方向を強制的に斜め上方に変更させられる。このとき原稿Ｄの先端Ｄｆには、ガイド９６１との接触による摩擦力が作用する。
【０００８】
原稿Ｄの先端Ｄｆがガイド９６１に案内されるとき、その先端Ｄｆの原稿幅方向一方端から他方端までの全部が一律にガイド９６１に接触した状態になっていれば、原稿幅方向の一方端側と他方端側とで摩擦力（搬送抵抗）に大きな差が生じない。
ところが、原稿Ｄに伝わる搬送中の振動や原稿Ｄの先端Ｄｆがガイド９６１に衝突したときの振動などにより、原稿Ｄの先端Ｄｆが上下または左右にばたつくことがある。
【０００９】
このようなばたつきが生じたまま、原稿Ｄがガイド９６１に沿って案内され続けると、原稿幅方向の一方端側がガイド９６１に接し、他方端側がガイド９６１から浮いた状態になったり、逆に一方端側がガイド９６１から浮き、他方端側がガイド９６１に接した状態になったりして、原稿幅方向の一方端側と他方端側とで摩擦力、すなわち搬送抵抗に差が生じ、その搬送抵抗の大きい方の側に原稿Ｄが傾き易くなるからである。
【００１０】
スキューが生じた状態で原稿Ｄの先端Ｄｆが搬送ローラー９０５に至ると、スキューのまま搬送ローラー９０５により第２読取位置９２２に搬送され、スキューした状態で原稿Ｄの第２面の画像が読み取られてしまう。
スキューした状態で原稿Ｄの第２面の画像が読み取られると、その読取画像を用紙にプリントしたりパーソナルコンピューターのディスプレイに表示させたりした場合、読取画像の全体がスキューの大きさに応じた傾斜角で傾いたようになり、原稿Ｄの第２面に対する読取画像の品質の低下に繋がる。
【００１１】
また、例えば、原稿Ｄの第１面の画像の読取時に原稿Ｄにスキューがほとんど生じておらず、同じ原稿Ｄの第２面の画像の読取時にスキューが生じていたような場合、第２面の読取画像だけが傾いたようになる。このようになると、ユーザーには、１枚の原稿Ｄの第１面と第２面のそれぞれの読取画像を対比したときに両者がアンバランスに見えてしまい、見栄えが悪くなる。
【００１２】
本発明は、上記の問題点に鑑みてなされたものであって、Ｓ字状の経路を搬送中の原稿にスキューが発生するのを防止することが可能な両面画像読取装置およびこれを備える画像形成装置を提供することを目的としている。
【課題を解決するための手段】
【００１３】
上記目的を達成するため、本発明に係る両面画像読取装置は、搬送路を搬送中の原稿が第１読取位置を通過する際に当該原稿の第１面の画像を読み取った後、前記原稿が第２読取位置を通過する際に当該原稿の前記第１面とは反対側の第２面の画像を読み取る両面画像読取装置であって、前記搬送路のうち前記第１読取位置と前記第２読取位置との間に設けられ、湾曲形状をした第１湾曲経路の原稿搬送方向下流端と当該第１湾曲経路とは反対側に膨らむ第２湾曲経路の原稿搬送方向上流端とが接続されてなるＳ字状の経路と、前記第１湾曲経路を搬送中の原稿を押える押えガイドと、前記搬送中の原稿を挟んで前記押えガイドと対向配置される搬送ガイドと、を備え、前記第１湾曲経路の少なくとも一部が前記搬送ガイドと前記押えガイドとにより形成され、前記押えガイドは、前記搬送ガイドとの間を通過する原稿を前記搬送ガイドに押え、前記搬送ガイドが前記第１湾曲経路の湾曲外側のガイドであり、前記押えガイドが前記第１湾曲経路の湾曲内側のガイドであることを特徴とする。
【００１４】
ここで、前記押えガイドと前記搬送ガイドとの間隔が原稿搬送方向上流から下流に向かうに伴って狭くなっている部分を有し、前記押えガイドは、前記搬送ガイドとの間隔が最も狭くなる、原稿搬送方向下流側の部分で前記原稿を前記搬送ガイドに押えるとしても良い。
【００１５】
さらに、前記押えガイドは、自重および付勢部材の付勢力の少なくとも一方を、前記搬送ガイドに前記原稿を押える押圧力に用いるとしても良い。
また、前記第１読取位置よりも原稿搬送方向下流側かつ前記搬送ガイドよりも原稿搬送方向上流側に配置される、掬い上げガイドを備え、前記掬い上げガイドは、前記第１読取位置を通過した前記原稿を掬い上げて前記搬送ガイドに向かわせるとしても良い。
【００１６】
ここで、前記第１湾曲経路は、前記第１読取位置を通過した原稿が前記掬い上げガイドにより掬い上げられるまでの第１経路部分と、前記掬い上げガイドによる前記原稿の掬い上げから前記第１湾曲経路の原稿搬送方向下流端までの第２経路部分とを含み、前記第２経路部分の方が前記第１経路部分よりも曲率が大きいとしても良い。
【００１７】
さらに、前記Ｓ字状の経路の途中に配され、当該Ｓ字状の経路を搬送中の原稿を、さらに原稿搬送方向下流へ搬送する搬送回転部材を備え、前記押えガイドは、前記搬送回転部材よりも原稿搬送方向上流側に配置されているとしても良い。
また、前記第１湾曲経路は、第１経路部分と、当該第１経路部分よりも原稿搬送方向下流側かつ当該第１経路部分と曲率が異なる第２経路部分とを含み、前記押えガイドによる前記原稿の押えは、前記曲率の大きい方の経路部分を搬送中の原稿に対して行われるとしても良い。
【００１８】
さらに、前記搬送路における前記第１読取位置よりも原稿搬送方向上流側に配置され、前記第１読取位置に向かって搬送される原稿のスキューを解消するためのレジストローラー対を備えるとしても良い。
本発明に係る画像形成装置は、両面画像読取部により読み取られた原稿の画像データに基づいてシート上に画像を形成する画像形成装置であって、前記両面画像読取部として、上記の両面画像読取装置を備えることを特徴とする。
【発明の効果】
【００１９】
上記のようにすれば、Ｓ字状の経路における原稿搬送方向上流側の第１湾曲経路に進入してきた原稿にばたつきが生じていても、そのばたつきが押えガイドの押えによりなくなるまたは低減されるので、原稿のばたつきが低減されないままＳ字状の経路を搬送され続ける構成に比べて、搬送中の原稿にスキューが発生するのを防止することが可能になる。
【図面の簡単な説明】
【００２０】
【図１】実施の形態に係るＭＦＰの構成を示す概略図である。
【図２】ＭＦＰに備えられる画像読取装置の概略構成を示す側面図である。
【図３】画像読取装置に設けられるＳ字経路を拡大して示す図である。
【図４】第２搬送ローラー対と押えガイドを図３の矢印Ｃで示す方向から見たときの平面図である。
【図５】図４に示すＥ−Ｅ線における矢視断面図である。
【図６】（ａ）〜（ｃ）は、搬送中の原稿の先端が下側ガイドと押えガイドとにより第１湾曲経路を案内されている様子を模式的に示す図である。
【図７】Ｓ字経路を搬送中の原稿に発生するスキューの大きさを実施例、比較例１、比較例２、変形例１の各構成において実験により求めた結果の例を示す図である。
【図８】変形例２に係る構成を示す図である。
【図９】両面画像読取装置の概略構成を示す図である。
【発明を実施するための形態】
【００２１】
以下、本発明に係る両面画像読取装置を備える画像形成装置の実施の形態を、多機能複合機（以下、「ＭＦＰ（Multi-Function Peripheral）」という。）を例にして図面を参照しながら説明する。
＜ＭＦＰの全体構成＞
図１は、本実施の形態に係るＭＦＰの構成を示す概略図である。
【００２２】
同図に示すように、ＭＦＰは、画像読取装置１と、画像形成部２と、給紙部３と、操作部４と、全体制御部５を備えている。
画像読取装置１は、固定光学系の一つであるシートスルー方式と移動光学系の一つであるスキャナ移動方式で原稿画像の読み取りが可能なように構成されている。ここで、シートスルー方式は、光学系を静止（固定）させた状態で、搬送（移動）中の原稿を固定の読取位置で読み取る方式である。スキャナ移動方式は、原稿を静止させた状態で、原稿面からの反射光を読取センサーに導くミラーを原稿に対して移動させ、原稿面から読取センサーまでの光路長を常に一定に維持した状態で読み取る方式である。
【００２３】
本実施の形態の画像読取装置１は、シートスルー方式において１枚の原稿の表（おもて）面と裏（うら）面の画像を１回の搬送中に順に読み取り可能な、いわゆる１パス両面画像読取装置である。以下、原稿Ｄのおもて面を第１面、第１面とは反対側のうら面を第２面という。
シートスルー方式では、原稿の片面の画像だけを読み取る片面読取モードや両面の画像を読み取る両面読取モードなどをユーザが選択することができる。シートスルー方式とスキャナ移動方式による読取動作の詳細については後述する。
【００２４】
画像形成部２は、画像読取装置１により読み取られた画像データに基づいて画像を形成するものであり、中間転写ベルト２２、作像部２３Ｙ、２３Ｍ、２３Ｃ、２３Ｋおよび定着部２９などを備えている。
作像部２３Ｙ、２３Ｍ、２３Ｃ、２３Ｋは、中間転写ベルト２２に沿って配置されており、それぞれ、イエロー（Ｙ）、マゼンタ（Ｍ）、シアン（Ｃ）、ブラック（Ｋ）の各色のトナー像を形成する。作像部２３Ｙ〜２３Ｋは、何れも同様の構成を備えるので、作像部２３Ｋについてのみ説明し、他の作像部２３Ｙ〜２３Ｃについては説明を省略する。
【００２５】
作像部２３Ｋは、感光体ドラム２４Ｋ、帯電器２５Ｋ、露光器２６Ｋ、現像器２７Ｋおよび１次転写ローラー２８Ｋを備えている。感光体ドラム２４Ｋは、帯電器２５Ｋにより外周面が均一に帯電される。露光器２６Ｋは、画像読取装置１で読み取られた画像データに基づく駆動信号により感光体ドラム２４Ｋに向けて光ビームを発し、帯電された感光体ドラム２４Ｋ表面を露光走査することにより感光体ドラム２４Ｋに静電潜像を形成する。
【００２６】
感光体ドラム２４Ｋの外周面に形成された静電潜像は、現像器２７Ｋによりトナーで現像され、１次転写ローラー２８Ｋによりそのトナー像が中間転写ベルト２２上に静電転写される。中間転写ベルト２２上には、Ｙ〜Ｋの各色トナー像が重ねて転写され、カラーのトナー像が形成される。
トナー像の形成動作と並行して、給紙部３は、内部に収容された複数の給紙カセット３１のいずれか一つから用紙Ｓを１枚ずつ繰り出して、２次転写ローラー２１が設けられた２次転写位置へ搬送する。２次転写ローラー２１は、中間転写ベルト２２上のトナー像を用紙Ｓ上に静電転写する。
【００２７】
トナー像が転写された用紙Ｓは、定着部２９での加熱および加圧によりトナー像が当該用紙Ｓに溶融、圧着された後、排出トレイ２０ａ上に排出される。用紙Ｓに転写されることなく中間転写ベルト２２上に残った残留トナーは、クリーナ２０ｂにより除去される。
操作部４は、ユーザーが操作し易い位置に設けられており、ユーザーからの原稿の読取モードの選択や読取開始の指示などの入力を受け付けて、受け付けた入力情報を全体制御部５に通知する。
【００２８】
全体制御部５は、画像読取装置１と画像形成部２と給紙部３を制御して、ユーザーからの入力情報に基づくジョブを実行する。例えば、ユーザにより原稿の両面読取モードが選択された場合には、画像読取装置１を制御して、シートスルー方式による原稿搬送を実行させ、原稿搬送中にその原稿の第１面と第２面の画像の読み取り動作を実行させる。
＜画像読取装置の構成＞
図２は、画像読取装置１の概略構成を示す側面図である。
【００２９】
同図に示すように画像読取装置１は、上面にシートスルー用ガラス１３およびプラテンガラス１６が設けられた画像読取部１０と、この画像読取部１０の上方に設けられた自動原稿搬送部（ADF: Automatic Document Feeder）４０とを備えている。
＜画像読取部の構成＞
画像読取部１０は、ランプ１１と第１ミラー１５ａを搭載する第１スライダー１８、第２ミラー１５ｂと第３ミラー１５ｃを搭載する第２スライダー１９、集光レンズ１５ｅ、読取センサーとしてのＣＣＤ（Charge  Coupled  Device）センサー１２を備える。
【００３０】
画像読取部１０は、シートスルー方式で原稿を読み取る場合には、自動原稿搬送部４０により搬送される原稿Ｄがシートスルー用ガラス１３の上を通過する際にその原稿Ｄの第１面（原稿Ｄの、シートスルー用ガラス１３に対向する側の面）の画像を読み取る。
具体的には、第１スライダー１８をシートスルー用ガラス１３の直下位置（シートスルーポジション）に移動させて静止させる。そして、ランプ１１を点灯させ、シートスルー用ガラス１３の上面を通過する原稿Ｄの第１面にランプ１１からの光Ｌを照射させる。
【００３１】
原稿Ｄの第１面からの反射光は、第１ミラー１５ａ、第２ミラー１５ｂおよび第３ミラー１５ｃにより光路変更され、集光レンズ１５ｅによって、ＣＣＤセンサー１２の受光面で結像される。ＣＣＤセンサー１２は、受光した光を光電変換により原稿Ｄの第１面の画像に対応した画像データを生成し、生成した画像データを画像形成部２に送る。
この意味で、画像読取部１０は、シートスルー方式の際に原稿Ｄの第１面の画像を読み取る第１読取部といえ、ランプ１１からの光Ｌが原稿Ｄの第１面に照射される位置５１が原稿Ｄの第１面の画像を読み取る第１読取位置になる。
【００３２】
一方、スキャナー移動方式で原稿を読み取る場合には、ユーザーにより自動原稿搬送部４０が上方に開放され、プラテンガラス１６上に原稿が載置された状態で、ランプ１１を点灯させつつ第１スライダー１８を同図の矢印Ｂで示す方向に移動させる。第１スライダー１８の移動の際、第２スライダー１９が第１スライダー１８と同方向であって第１スライダー１８の移動速度の半分の速度で移動するようになっている。これにより、プラテンガラス１６上に載置された原稿から集光レンズ１５ｅまでの距離（光路長）が常に一定に保たれた状態で、当該原稿の反射光がＣＣＤセンサー１２の受光面で結像される。
【００３３】
＜自動原稿搬送部の構成＞
自動原稿搬送部４０は、シートスルー方式で原稿画像を読み取る際に、原稿給紙トレイ４０ａに載置された原稿Ｄを１枚ずつ原稿搬送路４０１に沿って搬送して、シートスルー用ガラス１３上を通過後、原稿排出トレイ４０ｂに排出する。
具体的には、原稿給紙トレイ４０ａ上に載置された原稿Ｄを繰り出しローラー４１によって原稿搬送路４０１に繰り出し、分離ローラー対４２へ搬送する。
【００３４】
分離ローラー対４２は、対向配置される給紙ローラー４２１とさばきローラー４２２とを備えており、給紙ローラー４２１とさばきローラー４２２とがその対向する部分同士の回転方向が逆方向に回転することにより、給紙ローラー４２１とさばきローラー４２２間に搬送される原稿Ｄを１枚ずつに分離して、レジストローラー対４３へ送る。
レジストローラー対４３は、原稿Ｄの先端が到着した時点では停止しており、一方のレジストローラーが他方のレジストローラーと接触している部分（ニップ部）の搬送方向上流側で原稿Ｄにループ４３３（破線）が形成されて、原稿Ｄの先端の傾きが矯正された後、所定タイミングで回転を開始する。
【００３５】
原稿Ｄのループ４３３は、停止状態のレジストローラー対４３のニップ部に原稿Ｄの先端が突入してから上記所定タイミングでレジストローラー対４３の回転が開始されるまでの間、原稿Ｄの先端の前進が阻止されつつ原稿Ｄの搬送方向後端側に分離ローラー対４２による搬送力が付与され続けることにより形成される。
原稿Ｄの腰の強さにより、ループ４３３の形成部分にループ形成前の平坦な姿勢に戻ろうとする復元力が作用し、この復元力により原稿Ｄの先端がレジストローラー対４３のニップ部に押し付けられる。この押し付け力により、原稿Ｄの先端の幅方向全域がレジストローラー対４３のニップ部に入り込むようになり、原稿Ｄの先端側にスキューが発生していても、そのスキューが解消される。
【００３６】
レジストローラー対４３の回転開始により、レジストローラー対４３により原稿Ｄが第１搬送ローラー対４４に向けて搬送される。ここで、レジストローラー対４３と第１搬送ローラー対４４との間の位置には押えガイド４３５が配置されている。押えガイド４３５は、後述の押えガイド７２と同様の機能、具体的には搬送中の原稿Ｄにスキューが発生するのを防止する機能を有するものである。押えガイド４３５の構成については後述する。
【００３７】
第１搬送ローラー対４４は、レジストローラー対４３から送られて来た原稿Ｄをシートスルー用ガラス１３に向けて搬送する。シートスルー用ガラス１３の上方には、シートスルー用ガラス１３と間隔をあけて読取ガイド４８が配置されている。
第１搬送ローラー対４４により搬送される原稿Ｄは、シートスルー用ガラス１３の表面と読取ガイド４８との間を通過する。この通過の際に当該原稿Ｄの第１面の画像が画像読取部１０により読み取られる。
【００３８】
シートスルー用ガラス１３上を通過した原稿Ｄは、掬い上げガイド１７により搬送ガイド７１に案内され、搬送ガイド７１と押えガイド７２との間を通過後、第２搬送ローラー対４５に搬送される。
第２搬送ローラー対４５（搬送回転部材）は、シートスルー用ガラス１３上を通過した原稿Ｄにさらに原稿搬送方向下流側への搬送力を付与して、密着イメージセンサー（CIS：Contact  Image  Sensor）４１０に向けて搬送する。
【００３９】
ＣＩＳ４１０の直下には、ＣＩＳ４１０と間隔をあけて読取ガイド４９が配置されており、このＣＩＳ４１０と読取ガイド４９との間を第２搬送ローラー対４５により搬送されて来た原稿Ｄが通過する。
ＣＩＳ４１０は、ＣＩＳ４１０の直下を通過する原稿Ｄの第２面（ＣＩＳ４１０に対向する側の面）に向けて光を照射して、その原稿Ｄの第２面からの反射光を受光し、受光した反射光を光電変換により原稿Ｄの第２面の画像に対応した画像データを生成する。生成された画像データは、画像形成部２に送られる。
【００４０】
この意味で、ＣＩＳ４１０は、シートスルー方式の際に原稿Ｄの第２面の画像を読み取る第２読取部といえ、ＣＩＳ４１０からの光が原稿Ｄの第２面に照射される位置５２が原稿Ｄの第２面の画像を読み取る第２読取位置になる。
ＣＩＳ４１０を通過後の原稿Ｄは、排出前ローラー対４６に搬送される。排出前ローラー対４６は、ＣＩＳ４１０を通過後の原稿Ｄを排出ローラー対４７に向けて搬送し、排出ローラー対４７は、排出前ローラー対４６から搬送されてきた原稿Ｄを原稿排出トレイ４０ｂ上に排出させる。
【００４１】
＜原稿搬送路について＞
図２に示すように原稿搬送路４０１のうち、第１読取位置５１から第２読取位置５２までの間の経路部分６０は、側面視で（原稿Ｄの搬送方向に直交する原稿幅方向から見たとき）、Ｓ字状の経路（以下、「Ｓ字経路」という。）になっている。
図３は、Ｓ字経路６０を拡大して示す側面図である。
【００４２】
同図に示すようにＳ字経路６０は、第１湾曲経路６１と第２湾曲経路６２とを含む。
第１湾曲経路６１は、第１読取位置５１から原稿搬送方向下流側に向かうに連れて斜め上方に湾曲してなる経路であり、第２湾曲経路６２は、第１湾曲経路６１とは反対側に膨らむように湾曲してなる経路である。第１湾曲経路６１の原稿搬送方向下流端と第２湾曲経路６２の原稿搬送方向上流端との接続点６３がＳ字経路６０の変曲点になっている。
【００４３】
第１読取位置５１を通過後の原稿Ｄは、第１湾曲経路６１を通過する際に下に凸状になるような姿勢で搬送され、続いて、第２湾曲経路６２を通過する際には上に凸状になるような姿勢で搬送される。
第１湾曲経路６１は、掬い上げガイド１７と搬送ガイド７１からなる下側ガイド７０と、搬送ガイド７１よりも上方であり搬送ガイド７１に対向配置された押えガイド７２とにより形成されている。掬い上げガイド１７と搬送ガイド７１が第１湾曲経路６１の湾曲外側のガイドになり、押えガイド７２が第１湾曲経路６１の湾曲内側のガイドになる。各ガイドは、原稿搬送方向に沿って一定の長さを有し、ここでは樹脂からなる板状部材であるが、樹脂製や板状形状に限られず、例えば素材が金属であっても良い。
【００４４】
掬い上げガイド１７は、シートスルー用ガラス１３よりも原稿搬送方向下流側かつ搬送ガイド７１よりも原稿搬送方向上流側であり、シートスルー用ガラス１３に隣接して配置され、シートスルー用ガラス１３上を水平方向に進行して第１読取位置５１を通過した原稿Ｄの先端Ｄｆを斜め上方に掬い上げて、第１読取位置５１よりも上方の搬送ガイド７１に向かわせる。なお、掬い上げガイド１７は、シートスルー用ガラス１３とともに画像読取部１０に配置されているので、スキャナー移動方式で原稿を読み取る場合に自動原稿搬送部４０が上方に開放されたときでも、画像読取部１０に残ったままになる。
【００４５】
搬送ガイド７１は、掬い上げガイド１７により掬い上げられた原稿Ｄの先端Ｄｆを原稿搬送方向下流側に案内する。
押えガイド７２は、第１湾曲経路６１の形成とともに、Ｓ字経路６０を搬送中の原稿Ｄにスキューが発生するのを防止するために設けられたものであり、原稿搬送方向上流側の基端部７４に設けられた回転軸７５を中心に矢印Ｇで示す方向とこれの反対方向とに揺動可能に装置筐体４０ｃ（図４）に支持されている。
【００４６】
また、押えガイド７２の基端部７４と原稿搬送方向下流側の端部（以下、「ガイド先端部」という。）７７との間に位置する部分には、付勢部材の一例としての圧縮コイルバネ７６による下方に向かう方向の付勢力が常時付与されている。
この圧縮コイルバネ７６による付勢力と押えガイド７２の自重とにより、押えガイド７２には、回転軸７５を中心に矢印Ｇで示す方向への回転力が作用し、原稿Ｄが搬送されていないときには、ガイド先端部７７が搬送ガイド７１を押圧して常時、搬送ガイド７１に当たった状態になる。ガイド先端部７７の、搬送ガイド７１と当たっている部分の原稿搬送方向長さは、例えば５ｍｍ程度になっている。ガイド先端部７７が搬送ガイド７１を押圧している位置を押圧位置７８という。
【００４７】
この押圧位置７８は、第１湾曲経路６１を、原稿Ｄの先端Ｄｆが第１読取位置５１を通過してから掬い上げガイド１７により掬い上げられるまでの第１経路部分６１ａと、掬い上げガイドにより掬い上げられてから第１湾曲経路６１の原稿搬送方向下流端６３に至るまでの第２経路部分６１ｂに分けたとき、第１経路部分６１ａよりも曲率が大きい第２経路部分６１ｂの途中に設けられている。押圧位置７８を第２経路部分６１ｂに設ける理由については、後述する。
【００４８】
原稿Ｄの搬送中に原稿Ｄの先端Ｄｆが押圧位置７８に至ると、ガイド先端部７７の搬送ガイド７１への押圧力に抗して、その先端Ｄｆが搬送ガイド７１とガイド先端部７７との間に入り込み、搬送ガイド７１とガイド先端部７７との間を通過して、第２搬送ローラー対４５に搬送される。
第２搬送ローラー対４５は、上側ローラー４５１と下側ローラー４５２とから構成されている。
【００４９】
図４は、第２搬送ローラー対４５と押えガイド７２を図３の矢印Ｃで示す方向から見たときの平面図であり、押えガイド７２に向かって原稿Ｄが搬送される様子も合わせて示している。
ここで、図４では、原稿搬送路の幅方向中央を示す中央線をＣＬで示しており、原稿Ｄは、原稿サイズの大小にかかわらず、原稿搬送路の中央線ＣＬをセンター基準に、当該原稿Ｄの原稿幅方向の中心位置が中央線ＣＬ上に位置するように搬送される。この原稿幅方向は、上側ローラー４５１など原稿搬送用の各搬送ローラーの回転軸方向に相当する。以下、原稿幅方向を幅方向と略する。
【００５０】
図４に示すように上側ローラー４５１は、回転軸４５０に軸方向に沿って間隔をあけて２個のローラー本体４５３、４５４が設けられてなる。ローラー本体４５３、４５４は、その軸方向長さが同じ長さになっている。なお、上側ローラー４５１と同様に、下側ローラー４５２も２個のローラー本体４５５、４５６（破線）が設けられる構成になっている。上側ローラー４５１のローラー本体４５３と下側ローラー４５２のローラー本体４５５とが圧接され、上側ローラー４５１のローラー本体４５４と下側ローラー４５２のローラー本体４５６とが圧接される。
【００５１】
押えガイド７２は、幅方向中央の位置が中央線ＣＬ上に位置し、幅方向一方端と他方端からそれぞれ延出された回転軸７５が装置筐体４０ｃに回転可能に支持されており、幅方向長さＰ（例えば、５０〜６０ｍｍ程度）が上側ローラー４５１のローラー本体４５３と４５４の間隔Ｑよりも短く、ガイド先端部７７が上側ローラー４５１の回転軸４５０の直下位置まで原稿搬送方向に延出されている。同様に、押えガイド７２よりも下に位置する搬送ガイド７１も、その幅方向中央部７１ａが上側ローラー４５１の回転軸４５０の下側を潜るように原稿搬送方向に延出されている。
【００５２】
図５は、図４に示すＥ−Ｅ線における矢視断面図である。
同図に示すように、ガイド先端部７７がローラー本体４５４と４５６との圧接部（ニップ）４５７よりも原稿搬送方向上流側に位置し、上側ローラー４５１の回転軸４５０と接していない、つまり押えガイド７２が上側ローラー４５１と接していないことが判る。
同様に、搬送ガイド７１の幅方向中央部７１ａが上側ローラー４５１の回転軸４５０と下側ローラー４５２の回転軸４５８の間に位置し、上側ローラー４５１とも下側ローラー４５２とも接していないことが判る。
【００５３】
図３に戻って、第２湾曲経路６２は、下側ガイド８１と、下側ガイド８１よりも上方で下側ガイド８１とは間隔をあけた位置に配置される上側ガイド８２とにより形成されており、各ガイドはここでは板状に形成されている。下側ガイド８１と上側ガイド８２は、第２搬送ローラー対４５を通過した原稿Ｄを第２読取位置５２に案内する。
＜第１湾曲経路における原稿搬送について＞
図６（ａ）〜図６（ｃ）は、搬送中の原稿Ｄの先端Ｄｆが第１湾曲経路６１を案内されている様子を模式的に示す側面図である。
【００５４】
図６（ａ）は、搬送中の原稿Ｄの先端Ｄｆがシートスルー用ガラス１３上を通過直後に、掬い上げガイド１７に当たったときの様子を示しており、図６（ｂ）は、原稿Ｄの先端Ｄｆが掬い上げガイド１７に当たった後、斜め上方に掬い上げられて前進している様子を示している。
図６（ａ）と（ｂ）に示すように搬送中の原稿Ｄの先端Ｄｆは、掬い上げガイド１７による掬い上げられるが、掬い上げガイド１７との衝突の影響により、掬い上げられた原稿Ｄの先端Ｄｆにばたつきが発生し易い。また、原稿Ｄの先端Ｄｆが掬い上げガイド１７に至る前にも、搬送中の振動により原稿Ｄにばたつきが発生している場合もある。
【００５５】
この原稿Ｄのばたつきが上記のようにＳ字経路６０を搬送中の原稿Ｄのスキュー発生要因になるが、本実施の形態では、押えガイド７２が原稿Ｄのばたつきを抑制する作用を発揮することにより、原稿Ｄのスキュー発生を防止するようになっている。
具体的には、図６（ａ）に示すように押えガイド７２は、搬送ガイド７１との間隔Ｊが原稿搬送方向上流から下流に向かうに伴って狭くなるような姿勢で配置されている。これにより、掬い上げガイド１７を通過後の原稿Ｄの先端Ｄｆにばたつきが生じていても、先端Ｄｆが搬送ガイド７１と押えガイド７２との間を前進するに伴って、そのばたつきが徐々に小さくなる状態に追い込まれていく（図６（ｂ））。
【００５６】
そして、原稿Ｄの先端Ｄｆが押えガイド７２と搬送ガイド７１との間隔Ｊが最も狭くなる押圧位置７８に至ると、図６（ｃ）に示すようになる。すなわち、原稿Ｄの先端Ｄｆが押えガイド７２のガイド先端部７７による搬送ガイド７１への押圧力Ｆに抗して、ガイド先端部７７を搬送ガイド７１から離れる方向に原稿Ｄの厚み分だけ押し戻すことにより、搬送ガイド７１とガイド先端部７７との間に入り込み、搬送ガイド７１とガイド先端部７７との間を通過する。
【００５７】
１枚の原稿Ｄに対する押えガイド７２による押圧力Ｆは、当該原稿Ｄが搬送ガイド７１とガイド先端部７７との間を通過する間、作用し続けるので、この通過の際、原稿Ｄは、押えガイド７２により搬送ガイド７１に押えられる。この意味で、押えガイド７２は、搬送中の原稿Ｄを押える押え手段として機能する。
この押えにより、原稿Ｄの先端Ｄｆに残っているばたつきがなくなる、または押えを行わない場合よりもばたつきを低減できるようになり、原稿Ｄの先端Ｄｆの姿勢が安定した状態で搬送ガイド７１に沿って案内される。以下、ばたつきがなくなる、または低減されることを総称して、ばたつきを抑制できるという。
【００５８】
つまり、Ｓ字経路６０の原稿搬送方向上流側である第１湾曲経路６１において、原稿Ｄのスキュー発生要因であるばたつきを抑制できることになる。
特に、第１湾曲経路６１の第１経路部分６１ａと第２経路部分６１ｂのうち、曲率が大きい、つまり上方への曲がり方が急な方の第２経路部分６１ｂにおける押圧位置７８で押えガイド７２による原稿Ｄの押えを行う構成にしている。これは、次の理由による。
【００５９】
すなわち、第２経路部分６１ｂのように上方への曲がり方が急になるほど、緩やかな場合よりも、搬送中の原稿Ｄの先端Ｄｆが搬送ガイド７１に当たって搬送方向をさらに斜め上方へ変更させられるときの搬送ガイド７１との接触圧が強くなり易い。
このため、急な曲がりの第２経路部分６１ｂにおいて、ばたつきが生じたまま原稿Ｄが案内され続けると、例えば原稿Ｄの幅方向一方端側Ｄａ（図４）では搬送ガイド７１との接触圧が強く、他方端側Ｄｂ（図４）では弱くなったり、また、その強弱の関係が逆になったりして、一方端側Ｄａと他方端側Ｄｂとの搬送抵抗に差が生じ易くなり、これが原稿Ｄのスキューを発生させ易くする。
【００６０】
そこで、第１経路部分６１ａよりもスキューが発生し易い第２経路部分６１ｂで、スキュー発生要因のばたつきを抑制させておくことで、以降、第１湾曲経路６１から第２湾曲経路６２を経て第２読取位置５２に至るまで間におけるスキュー発生をより効果的に防止できるようになるからである。
また、原稿Ｄの搬送方向後端が押圧位置７８を通過するまでの間、押えガイド７２による原稿Ｄの押えが継続されるので、搬送途中で原稿Ｄが搬送ガイド７１から浮き上がってばたつくといったことが発生せず、原稿Ｄの先端Ｄｆが搬送ガイド７１を通過後に原稿Ｄに新たなばたつきが発生するのも抑制することができる。
【００６１】
これにより、原稿Ｄが第１湾曲経路６１から第２湾曲経路６２を介して第２読取位置５２までの間を搬送中にばたつきが生じたまま、そのばたつきにより原稿Ｄの幅方向一方端側と他方端側とで搬送抵抗に差が生じて原稿Ｄのスキューが徐々に増大していくことが防止され、Ｓ字経路６０の搬送により原稿Ｄにスキューが発生するのを防止できる。
なお、押えガイド７２による押圧力Ｆを大きくするほど、原稿Ｄの先端Ｄｆのばたつきがなくなり易くなるが、その一方で搬送中の原稿Ｄに対する搬送抵抗が大きくなって原稿搬送性に影響を与えるおそれが生じる。逆に、押圧力Ｆを小さくしすぎると、原稿搬送性への影響を減らすことができるが、押えガイド７２の自重だけでは原稿Ｄの先端Ｄｆのばたつきが残ったままになることも生じ得る。一方で、原稿Ｄのばたつきを完全になくせなくてもある程度まで低減できれば、原稿画像の読取性の低下に至るような大きさのスキューにまで発展しない場合もあり得る。
【００６２】
このため、押圧力Ｆの大きさは、スキューによる原稿画像の読取性の低下に至ることがなく、かつ原稿Ｄの搬送性に影響を与えることのない範囲内で、装置構成に適した大きさが予め実験などにより決められ、その決められた大きさの押圧力Ｆが作用するように例えば圧縮コイルバネ７６のバネ定数などが設定される。
図７は、Ｓ字経路６０を搬送中に原稿Ｄにどの程度の大きさのスキューが発生するのかを実施例、比較例１、比較例２、変形例１のそれぞれの構成において実験により求めた結果の例を示す図である。
【００６３】
ここで、実施例とは、本実施の形態に係る画像読取装置１の構成例のことである。
比較例１とは、画像読取装置１から押えガイド７２を取り除いた構成例（従来に相当）のことであり、比較例２とは、画像読取装置１の押えガイド７２を第１湾曲経路６１に代えて第２湾曲経路６２のみに設けた構成例のことである。また、変形例１とは、画像読取装置１にさらに、押えガイド７２と同じ機能を有するガイド部材を第２湾曲経路６２にも設けた構成例のことである。
【００６４】
また、同図に示す「原稿の表（おもて）面と裏面の先端傾きの差α（％）」とは、次の（式１）で求められた数値である。
α＝β２−β１・・・（式１）
ここで、β１は、原稿Ｄの先端Ｄｆが第１読取位置５１を通過する際の先端傾きの程度を示し、β２は、第１読取位置５１を通過後の原稿Ｄの先端Ｄｆが第２読取位置５２を通過する際の先端傾きの程度を示している。
【００６５】
このβ１とβ２は、次の（式２）により求められる。
β＝〔Ｒ／Ｗ〕×１００・・・（式２）
ここで、Ｗは、図４に示すように原稿Ｄの幅方向長さを示している。
Ｒは、原稿Ｄにスキューが生じていない状態を基準姿勢（図４で示す実線の姿勢）としたとき、スキューが生じた原稿Ｄ（図４で示す破線の姿勢）の先端Ｄｆの幅方向一方端の、基準姿勢の原稿Ｄの先端Ｄｆに対する原稿搬送方向のずれ量を示している。ずれ量Ｒが０の場合、βが０になり、原稿Ｄにスキューが発生していないことになる。このずれ量Ｒをスキューの大きさと捉えることができる。
【００６６】
１枚の原稿Ｄが１回の搬送中に、当該原稿Ｄの先端Ｄｆが第１読取位置５１を通過する時点でβ１が測定され、当該原稿Ｄの先端Ｄｆが第２読取位置５２を通過する時点でβ２が測定される。
通常、搬送中の原稿Ｄにスキューが発生する場合、そのスキューの大きさＲは、原稿搬送方向上流側から下流側に向かうに連れて徐々に大きくなり、β１＜β２の大小関係になることが多い。この場合、（β２−β１）をαとすれば、このαは、１枚の原稿Ｄの先端Ｄｆが第１読取位置５１を通過した以降にＳ字経路６０を搬送中に発生したスキューの大きさを指標するものになる。従って、差αが小さいほど、Ｓ字経路６０を搬送中の原稿Ｄに発生したスキューの大きさが小さいということがいえる。
【００６７】
図７の実験結果を見ると、押えガイド７２が設けられた実施例ではαが０．０００８であるのに対し、押えガイド７２が設けられてない比較例１ではαが０．１８９４になっており、実施例よりも比較例１の方がかなり大きな値になっている。
このことから、押えガイド７２を設けることによって、押えガイド７２を設けない構成に比べて、Ｓ字経路６０を搬送中の原稿Ｄに生じるスキューの大きさＲを極めて小さな値に抑えられることが判る。
【００６８】
また、押えガイド７２を第２湾曲経路６２にのみ設けた比較例２ではαが実施例よりも大幅に大きな値（＝０．２１８５）になっている。これは、次の理由によると考えられる。すなわち、比較例２では、押えガイド７２が第１湾曲経路６１に設けられていない。このため、第１湾曲経路６１を搬送中の原稿Ｄにスキューが生じることを抑止できず、スキューが生じた後に第２湾曲経路６２で搬送中の原稿Ｄを押えガイド７２で押えても、既に生じているスキューをなくすことができないと考えられるからである。
【００６９】
この比較例２の結果から、Ｓ字経路６０を構成する第１湾曲経路６１と第２湾曲経路６２のうち、原稿搬送方向上流側の第１湾曲経路６１に押えガイド７２を設けることにより、Ｓ字経路６０の搬送による原稿Ｄのスキュー発生を効果的に防止できることが判る。
このことは、押えガイド７２を第１湾曲経路６１と第２湾曲経路６２の両方に設けた変形例１の結果を見ても判る。すなわち、変形例１でもαが比較例１と２に比べると大幅に小さくなっており、第１湾曲経路６１に押えガイド７２を設けたことによるスキュー発生の防止効果が生じていることが見て取れる。なお、変形例１のαは、実施例よりも少し大きくなっているが、これは実験結果のばらつきによるものであり、原稿画像の読取性に影響を与えない許容範囲内の値であることは実施例と同様である。
【００７０】
この押えガイド７２と同様のスキュー発生防止機能を有する押えガイド４３５が図２に示すようにレジストローラー対４３と第１搬送ローラー対４４との間の位置に配置されている。押えガイド４３５は、基本的に押えガイド７２と同じ構成である。
具体的には、押えガイド４３５は、回転軸４３６を中心に同図の矢印Ｔに示す方向とこれの反対方向とに揺動可能に装置筐体４０ｃに支持されており、原稿Ｄの搬送中でなければ、不図示の圧縮コイルバネの付勢力によりガイド先端部４３７が湾曲形状の搬送ガイド４３８を押圧して搬送ガイド４３８に当たった状態になる。
【００７１】
原稿Ｄの搬送中には、原稿Ｄの先端Ｄｆがガイド先端部４３７の搬送ガイド４３８への押圧力に抗して、搬送ガイド４３８とガイド先端部４３７との間に入り込み、ガイド先端部４３７により押圧された状態で搬送ガイド４３８とガイド先端部４３７との間を通過する。これにより、レジストローラー対４３を通過直後の原稿Ｄの先端Ｄｆに仮にばたつきが生じていても、押えガイド４３５の押えによってそのばたつきが抑制されるので、第１搬送ローラー対４４に向けて搬送中の原稿Ｄのスキュー発生を防止できる。
【００７２】
以上、説明したように本実施の形態では、Ｓ字経路６０のうち原稿搬送方向上流側の第１湾曲経路６１に押えガイド７２を設ける構成とすることにより、第１読取位置５１を通過後の原稿Ｄにばたつきが生じていても、原稿Ｄが押えガイド７２により搬送ガイド７１に押えられることにより、そのばたつきが抑制される。これにより、押えガイドが設けられていないため原稿Ｄのばたつきが大きくなった状態でＳ字経路６０を搬送され続ける構成に比べて、搬送中に原稿Ｄにスキューが発生するのを防止できるようになる。
【００７３】
＜変形例＞
以上、本発明を実施の形態に基づいて説明してきたが、本発明は、上述の実施の形態に限定されないのは勿論であり、以下のような変形例が考えられる。
（１）上記実施の形態では、押えガイド７２が回転軸７５を中心に揺動可能に支持される構成例を説明したが、これに限られない。
【００７４】
搬送中の原稿Ｄが押えガイド７２と搬送ガイド７１との間を通過する際に、ガイド先端部７７が当該原稿Ｄの第２面に接して当該原稿Ｄを搬送ガイド７１に向かう方向に押えることが可能な構成であれば良い。
例えば、押えガイド７２の全体が搬送ガイド７１に対して接近する方向と離間する方向（接離方向）に平行移動可能な構成とすることができる。この構成でも、押えガイド７２を搬送ガイド７１に向けて付勢するバネなどの付勢部材を設ければ、搬送中の原稿Ｄがガイド先端部７７と搬送ガイド７１との間を通過する際に、ガイド先端部７７が当該付勢部材の付勢力により当該原稿Ｄを搬送ガイド７１に押えることができる。
【００７５】
また、押えガイド７２に付勢部材の付勢力を付与しなくても、例えば押えガイド７２の自重のみで、搬送中の原稿Ｄを押えることが可能であれば、付勢部材を設けない構成をとることもできる。
さらに、可撓性を有するガイド先端部７７が搬送ガイド７１に当たって撓んだ姿勢で静止するように押えガイド７２の基端部７４を装置筐体４０ｃに固定支持する構成をとることも可能である。撓んだ姿勢の押えガイド７２に作用する復元力を圧縮コイルバネ７６の付勢力の代わりとすることができる。
【００７６】
また、上記では、原稿Ｄが搬送されていないときにガイド先端部７７が搬送ガイド７１に接している構成例を説明したが、これに限られない。搬送中の原稿Ｄをガイド先端部７７で押えることができれば良い。例えば、原稿Ｄが搬送されていないときにガイド先端部７７が搬送ガイド７１に対して原稿Ｄの厚みよりも小さな隙間をあけた状態（浮いている状態）で静止するように、押えガイド７２の回転軸７５の回転範囲を規制するストッパーを設ける構成などをとることも可能できる。
【００７７】
さらに、上記では、掬い上げガイド１７と搬送ガイド７１とを別部材で構成する例を説明したが、これに限られず、例えばシートスルー方式のみの装置構成の場合に掬い上げガイド１７と搬送ガイド７１とが一体に形成されたものを用いることもできる。
（２）また、上記実施の形態では、原稿Ｄが原稿搬送路４０１上をセンター基準で搬送される構成において１個の押えガイド７２を原稿搬送路４０１の中央線ＣＬ上に位置する構成例を説明したが、これに限られない。例えば、中央線ＣＬを挟んで２個の押えガイド７２を中央線ＣＬから等間隔の位置に配置する構成をとることもできる。この場合、２個の押えガイド７２の押圧力が等しいまたは略等しいことが望ましい。また、３個以上の押えガイド７２のそれぞれを原稿Ｄの幅方向に沿って間隔をあけて配置する構成をとることも可能である。
【００７８】
さらに、センター基準ではなく、原稿搬送路４０１の幅方向一方端側を基準とする、いわゆる片側基準で原稿Ｄを搬送する構成では、搬送可能な最小サイズの原稿Ｄが搬送されるとした場合に、その最小サイズの原稿Ｄの幅方向中央に相当する位置に押えガイド７２を配置する構成をとることができる。
（３）さらに、上記実施の形態では、搬送ガイド７１と押えガイド７２とを、搬送ガイド７１が下、押えガイド７２が上になる位置関係の構成例を説明したが、これに限られない。例えば、図８に示す変形例２のように搬送ガイド７１が上、押えガイド７２が下になる位置関係の構成とすることもできる。
【００７９】
この変形例２では、押えガイド７２が第１湾曲経路６１の湾曲外側のガイドになり、搬送ガイド７１が第１湾曲経路６１の湾曲内側のガイドになる。また、押えガイド７２の自重ではなく圧縮コイルバネ７６の付勢力により、下側の押えガイド７２が上側の搬送ガイド７１を押圧する構成になる。掬い上げガイド１７により掬い上げられた原稿Ｄの先端Ｄｆを、ガイド先端部７７により下から搬送ガイド７１に押し当てることにより、原稿Ｄのばたつきをなくすことができる。
【００８０】
（４）上記実施の形態では、Ｓ字経路６０の変曲点６３に相当する位置に第２搬送ローラー対４５を配置する構成例を説明したが、第２搬送ローラー対４５の配置位置が上記の位置に限られることはない。Ｓ字経路６０の途中であり、第１読取位置５１を通過後の原稿Ｄを第２読取位置５２に向けて搬送するのに適した位置に配置することができる。
第２搬送ローラー対４５の配置位置が変わっても、押えガイド７２との位置関係は、基本的には、押えガイド７２が第１湾曲経路６１の途中かつ第２搬送ローラー対４５よりも原稿搬送方向上流側に位置する関係が維持される。
【００８１】
なお、仮に、第２搬送ローラー対４５が第１湾曲経路６１の原稿搬送方向上流端に配置され、第２搬送ローラー対４５を通過後の原稿Ｄにばたつきが発生するような場合には、そのばたつきをなくすべく、押えガイド７２を第１湾曲経路６１の途中かつ第２搬送ローラー対４５よりも原稿搬送方向下流側に配置する構成をとることもできる。
また、装置構成によっては第２搬送ローラー対４５が設けられていない場合もあり得るが、その場合でも、上記と同様に押えガイド７２を第１湾曲経路６１に配置することにより、Ｓ字経路６０の搬送中に原稿Ｄに生じるスキューを抑えることができる。
【００８２】
（５）さらに、上記実施の形態では、第１湾曲経路６１における第１経路部分６１ａと第２経路部分６１ｂのうち、原稿搬送方向下流側かつ曲率が大きい方の第２経路部分６１ｂの途中で押えガイド７２による原稿Ｄの押えを行う構成例を説明したが、これに限られない。第１湾曲経路６１を原稿Ｄが搬送中にスキュー発生要因である当該原稿のばたつきを抑制できれば良い。装置構成によっては、例えば第１経路部分６１ａの途中で原稿Ｄの押えを行う構成をとることも可能である。
【００８３】
また、例えば第１経路部分６１ａの方が第２経路部分６１ｂよりも曲率が大きい構成の場合、原稿搬送方向上流側の第１経路部分６１ａの途中で押えガイド７２による原稿Ｄの押えを行う構成とすることもできる。つまり、第１湾曲経路６１が曲率の異なる複数の経路部分（直線状の経路部分を含む）が接続されてなる場合に、そのうち曲率が最も大きい経路部分で原稿Ｄの押えを行う構成をとることができる。
【００８４】
（６）上記実施の形態では、本発明に係る両面画像読取装置としての画像読取装置１がＭＦＰに備えられる構成例を説明したが、これに限られず、ＭＦＰや複写機などの画像形成装置の両面画像読取装置として設けられるとしても良い。
また、原稿の第１面の画像を読み取る第１読取部を第１スライダー１８や第２スライダー１９などを備える画像読取部１０とし、原稿の第２面の画像を読み取る第２読取部をＣＩＳ４１０とした構成例を説明したが、これに限られない。例えば、第１読取部もＣＩＳとする構成をとることもできる。
【００８５】
さらに、本発明に係る両面画像読取装置は、画像形成装置に設けられるものではなく、原稿の両面の画像を読み取るスキャナーなどの画像読取専用の装置として適用することもできる。また、上記の搬送ガイド７１や押えガイド７２などの各部材の形状、大きさ、個数、素材などが上記のものに限られることはなく、装置構成に適した形状等のものが用いられる。
【００８６】
また、上記実施の形態及び上記変形例の構成をそれぞれ可能な限り組み合わせるとしても良い。
【産業上の利用可能性】
【００８７】
本発明は、原稿の画像を読み取る両面画像読取装置およびこれを備える画像形成装置に広く適用することができる。
【符号の説明】
【００８８】
１      画像読取装置
１０      画像読取部（第１読取部）
１７      掬い上げガイド
４０      自動原稿搬送部
４０ｃ    装置筐体
４５      第２搬送ローラー対
５１      第１読取位置
５２      第２読取位置
６０      Ｓ字状の経路
６１      第１湾曲経路
６１ａ    第１経路部分
６１ｂ    第２経路部分
６２      第２湾曲経路
７０      下側ガイド
６３      変曲点
７１、４３８      搬送ガイド
７２、４３５      押えガイド
７４      基端部
７５、４３６      回転軸
７６      圧縮コイルバネ
７７、４３７      ガイド先端部
７８      押圧位置
４１０      ＣＩＳ（第２読取部）
Ｄ      原稿
Ｄｆ    先端
【図１】
0006314962.tif 000002
【図２】
0006314962.tif 000003
【図３】
0006314962.tif 000004
【図４】
0006314962.tif 000005
【図５】
0006314962.tif 000006
【図６】
0006314962.tif 000007
【図７】
0006314962.tif 000008
【図８】
0006314962.tif 000009
【図９】
0006314962.tif 000010